(57)【要約】【課題】ベゼル部位の遮蔽力を確保し、且つタッチセンサと塗布層との接着力を向上させることができるタッチセンサモジュールおよびその製造方法を提供する。【解決手段】本発明のタッチセンサモジュール１は、ウィンドウ基板３００と、ウィンドウ基板３００と対向する方向にウィンドウ基板３００の縁部に沿って設けられた少なくとも一つ以上の印刷層を備えるベゼル層３１０と、前記印刷層の表面を塗布して包むように形成された塗布層と、を含むものである。【選択図】図１
2015036972.tif 000002
【特許請求の範囲】
【請求項１】
ウィンドウ基板と、
前記ウィンドウ基板と対向する方向にウィンドウ基板の縁部に沿って設けられた少なくとも一つ以上の印刷層を備えるベゼル層と、
前記印刷層の表面を塗布して包むように形成された塗布層と、を含む、タッチセンサモジュール。
【請求項２】
前記印刷層と塗布層の色は、５０以上の明度値を有する、請求項１に記載のタッチセンサモジュール。
【請求項３】
前記印刷層と塗布層は、同一の材質および明度を用いて形成される、請求項１に記載のタッチセンサモジュール。
【請求項４】
前記塗布層と印刷層の明度より低い明度を有する表示部が前記塗布層の表面にさらに形成される、請求項３に記載のタッチセンサモジュール。
【請求項５】
前記印刷層は、
前記ウィンドウ基板に接して積層方向に塗布される第１印刷層と、
前記第１印刷層の上端部に少なくとも一つ以上の層として積層されて塗布される第２印刷層と、を含む、請求項１に記載のタッチセンサモジュール。
【請求項６】
前記第２印刷層は、前記第１印刷層の表面に積層されて階段方式で形成される、請求項５に記載のタッチセンサモジュール。
【請求項７】
前記塗布層は、前記第１印刷層と第２印刷層を包むために、緩やかなカーブを有するように形成される、請求項５に記載のタッチセンサモジュール。
【請求項８】
ウィンドウ基板と、
前記ウィンドウ基板と対向する方向にウィンドウ基板の縁部に沿って設けられた少なくとも一つ以上の印刷層を備えるベゼル層と、
前記印刷層の表面を塗布する塗布層と、
前記ウィンドウ基板と対向するように前記塗布層の下端部に配置されており、電極パターンが形成されたベース基板と、を含む、タッチセンサモジュール。
【請求項９】
前記印刷層と塗布層の色は、５０以上の明度値を有する、請求項８に記載のタッチセンサモジュール。
【請求項１０】
前記印刷層と塗布層は、同一の材質および明度を用いて形成される、請求項８に記載のタッチセンサモジュール。
【請求項１１】
前記塗布層と印刷層の明度より低い明度を有する表示層が前記塗布層の表面にさらに形成される、請求項１０に記載のタッチセンサモジュール。
【請求項１２】
前記印刷層は、
前記ウィンドウ基板に接して積層方向に塗布される第１印刷層と、
前記第１印刷層の上端部に少なくとも一つ以上の層として積層されて塗布される第２印刷層と、を含む、請求項８に記載のタッチセンサモジュール。
【請求項１３】
前記第２印刷層は、前記第１印刷層の表面に積層されて階段方式で形成される、請求項１２に記載のタッチセンサモジュール。
【請求項１４】
前記塗布層は、前記第１印刷層と第２印刷層を包むために、緩やかなカーブを有するように形成される、請求項１２に記載のタッチセンサモジュール。
【請求項１５】
前記塗布層が前記印刷層を包む面積は、前記印刷層の面積より広く形成されている、請求項１２に記載のタッチセンサモジュール。
【請求項１６】
ウィンドウ基板を準備する段階と、
前記ウィンドウ基板の一面に縁部に沿って印刷層を形成してベゼル層を形成する段階と、
前記印刷層の表面を塗布する塗布層形成段階と、
前記ウィンドウ基板と電極パターンが形成されたベース基板とを結合する段階と、を含む、タッチセンサモジュールの製造方法。
【請求項１７】
前記印刷層を形成する段階は、
前記ウィンドウ基板に接して積層方向に塗布される第１印刷層を形成する段階と、
前記第１印刷層の上端部に少なくとも一つ以上の層として積層されて階段方式で塗布される第２印刷層を形成する段階と、を含む、請求項１６に記載のタッチセンサモジュールの製造方法。
【請求項１８】
前記塗布層形成段階において、前記塗布層は、前記第１印刷層と第２印刷層を包み、緩やかなカーブを有するように形成される、請求項１７に記載のタッチセンサモジュールの製造方法。
【請求項１９】
前記塗布層形成段階の後、前記塗布層と第１印刷層の明度より低い明度を有する表示部が前記塗布層の表面上端部にさらに形成される、請求項１８に記載のタッチセンサモジュールの製造方法。
【発明の詳細な説明】
【技術分野】
【０００１】
本発明は、タッチセンサモジュールおよびその製造方法に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用して、テキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
このようなタッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
また、タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。
【０００７】
このような様々な方式のタッチセンサは、信号増幅の問題、解像度の差、設計および加工技術の難易度、光学的特性、電気的特性、機械的特性、耐環境特性、入力特性、耐久性および経済性を考慮して電子製品に採用されるが、現在、最も幅広い分野で用いられている方式は、抵抗膜方式タッチセンサおよび静電容量方式タッチセンサである。
【０００８】
タッチセンサにおいて、通常、縁部に形成されたベゼル（Ｂｅｚｅｌ：非活性領域）部は、特許文献１のように、ベゼル層にインク（Ｉｎｋ）のような物質で多数の層を塗布して塗布層を形成する構造を有している。このような塗布層は、暗い色よりは明るい色の場合に、遮蔽力を確保するために塗布層が相対的に厚くなるにつれて接着力および結合力が低下する問題点が生じた。
【先行技術文献】
【特許文献】
【０００９】
【特許文献１】韓国公開特許第１０−２０１３−００１７８９８号公報
【発明の概要】
【発明が解決しようとする課題】
【００１０】
本発明は、上述した従来技術の問題点を解決するためのものであり、ベゼル部位の遮蔽力を確保し、且つタッチセンサと塗布層との接着力を向上させることができるタッチセンサモジュールおよびその製造方法を提供することを目的とする。
【課題を解決するための手段】
【００１１】
本発明の第１実施例によるタッチセンサモジュールは、ウィンドウ基板と、前記ウィンドウ基板と対向する方向にウィンドウ基板の縁部に沿って設けられた少なくとも一つ以上の印刷層を備えるベゼル層と、前記印刷層の表面を塗布して包むように形成された塗布層と、を含むタッチセンサモジュールを提供する。
【００１２】
本発明の第１実施例によるタッチセンサモジュールは、前記印刷層と塗布層の色は、５０以上の明度値（Ｂ）を有する。
【００１３】
本発明の第１実施例によるタッチセンサモジュールは、前記印刷層と塗布層は、同一の材質および明度を用いて形成される。
【００１４】
本発明の第１実施例によるタッチセンサモジュールは、前記塗布層と印刷層の明度より低い明度を有する表示部が前記塗布層の表面にさらに形成される。
【００１５】
本発明の第１実施例によるタッチセンサモジュールは、前記印刷層は、前記ウィンドウ基板に接して積層方向に塗布される第１印刷層と、前記第１印刷層の上端部に少なくとも一つ以上の層として積層されて塗布される第２印刷層と、を含む。
【００１６】
本発明の第１実施例によるタッチセンサモジュールは、前記第２印刷層は、前記第１印刷層の表面に積層されて階段方式で形成される。
【００１７】
本発明の第１実施例によるタッチセンサモジュールは、前記塗布層は、前記第１印刷層と第２印刷層を包むために、緩やかなカーブを有するように形成される。
【００１８】
本発明の第２実施例によるタッチセンサモジュールは、前記ウィンドウ基板と対向する方向にウィンドウ基板の縁部に沿って設けられた少なくとも一つ以上の印刷層を備えるベゼル層と、前記印刷層の表面を塗布する塗布層と、前記ウィンドウ基板と対向するように前記塗布層の下端部に配置されており、電極パターンが形成されたベース基板と、を含むタッチセンサモジュールを提供する。
【００１９】
本発明の第２実施例によるタッチセンサモジュールは、前記印刷層と塗布層の色は、５０以上の明度値（Ｂ）を有する。
【００２０】
本発明の第２実施例によるタッチセンサモジュールは、前記印刷層と塗布層は、同一の材質および明度を用いて形成される。
【００２１】
本発明の第２実施例によるタッチセンサモジュールは、前記塗布層と印刷層の明度より低い明度を有する表示層が前記塗布層の表面にさらに形成される。
【００２２】
本発明の第２実施例によるタッチセンサモジュールは、前記印刷層は、前記ウィンドウ基板に接して積層方向に塗布される第１印刷層と、前記第１印刷層の上端部に少なくとも一つ以上の層として積層されて塗布される第２印刷層と、を含む。
【００２３】
本発明の第２実施例によるタッチセンサモジュールは、前記第２印刷層は、前記第１印刷層の表面に積層されて階段方式で形成される。
【００２４】
本発明の第２実施例によるタッチセンサモジュールは、前記塗布層は、前記第１印刷層と第２印刷層を包むために、緩やかなカーブを有するように形成される。
【００２５】
本発明の第２実施例によるタッチセンサモジュールは、前記塗布層が前記印刷層を包む面積は、前記印刷層の面積より広く形成されているタッチセンサモジュールである。
【００２６】
本発明の第３実施例によるタッチセンサモジュールの製造方法は、ウィンドウ基板を準備する段階と、前記ウィンドウ基板の一面に縁部に沿って印刷層を形成してベゼル層を形成する段階と、前記印刷層の表面を塗布する塗布層形成段階と、前記ウィンドウ基板と電極パターンが形成されたベース基板とを結合する段階と、を含むタッチセンサモジュールの製造方法を提供する。
【００２７】
本発明の第３実施例によるタッチセンサモジュールの製造方法は、前記印刷層を形成する段階は、前記ウィンドウ基板に接して積層方向に塗布される第１印刷層を形成する段階と、前記第１印刷層の上端部に少なくとも一つ以上の層として積層されて階段方式で塗布される第２印刷層を形成する段階と、を含む。
【００２８】
本発明の第３実施例によるタッチセンサモジュールの製造方法は、前記塗布層形成段階において、前記塗布層は、前記第１印刷層と第２印刷層を包み、緩やかなカーブを有するように形成される。
【００２９】
本発明の第３実施例によるタッチセンサモジュールの製造方法は、前記塗布層形成段階の後、前記塗布層と第１印刷層の明度より低い明度を有する表示部が前記塗布層の表面上端部にさらに形成される。
【発明の効果】
【００３０】
本発明によれば、印刷層を包む塗布層を形成することで、ウィンドウ基板とタッチセンサとの接合力を改善して、電気的信頼性を向上させる効果がある。
【００３１】
また、印刷層を包む塗布層を形成することで、第１印刷層と第２印刷層を順次積層する際に生じる気泡（ａｉｒ  ｔｒａｐ）の発生を改善して、製品の信頼性を向上させる効果がある。
【００３２】
また、印刷層を包む塗布層を形成することで、第１印刷層と第２印刷層を順次積層する際に生じるテーパー角（ｔａｐｅｒ  ａｎｇｌｅ）を減少する効果がある。
【００３３】
また、印刷層を包む塗布層を形成することで、白色をはじめ明るい色の場合に遮蔽力を確保するために積層される印刷層の厚さを減少する効果がある。
【００３４】
また、印刷層を包む塗布層を形成することで、ベゼル層の厚さが減少して、タッチセンサ製品の厚さが減少する効果がある。
【図面の簡単な説明】
【００３５】
【図１】本発明の一実施例によるタッチセンサモジュールの断面図である。
【図２】本発明の一実施例による印刷層を包んでいる塗布層の例示図である。
【図３】図２の印刷層を包んでいる塗布層の第１変形例示図である。
【図４】本発明の一実施例によるタッチセンサモジュールの工程順序図である。
【図５】本発明の一実施例によるタッチセンサモジュールの工程順序図である。
【図６】本発明の一実施例によるタッチセンサモジュールの工程順序図である。
【図７】本発明の一実施例によるタッチセンサモジュールの工程順序図である。
【発明を実施するための形態】
【００３６】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３７】
以下、添付図面を参照して、本発明の好ましい実施例を詳細に説明する。
【００３８】
図１は、本発明の一実施例によるタッチセンサモジュールの断面図であり、図２は、本発明の一実施例による印刷層を包んでいる塗布層の例示図であり、図３は、図２の印刷層を包んでいる塗布層の第１変形例示図であり、図４から図７は、本発明の一実施例によるタッチセンサモジュールの工程順序図である。
【００３９】
本明細書の全体にわたり用いられている「タッチ」という用語は、接触受容面に対する直接の接触を意味するだけでなく、接触受容面に入力手段が相当近接していることも含む広い意味で解釈されるべきである。
【００４０】
本発明では、ベース基板１１０の両面に電極パターン１２０、１３０が形成された実施例について説明している。これは、ベース基板１１０の電極パターンを両面に限定するためではない。
【００４１】
図１を参照すると、本発明の実施例によるタッチセンサモジュール１は、ウィンドウ基板３００と、ウィンドウ基板３００と対向する方向にウィンドウ基板の縁部に沿って設けられた少なくとも一つ以上の印刷層３１１、３１３を備えるベゼル層３１０と、印刷層３１１、３１３の表面を塗布して包むように形成された塗布層３１５と、を含む。
【００４２】
ウィンドウ基板３００は、タッチ位置を検出するための電極パターン１２０、１３０が形成される領域を提供する役割を果たすことができる。ウィンドウ基板３００は、電極パターン１２０、１３０を支持するための支持力、および画像表示装置から提供される画像をユーザが認識するための透明性を備えなければならない。ウィンドウ基板３００は、タッチセンサ１００の最外側においてユーザのタッチが入力される方向に形成され、所定強度以上の強化ガラスなどを用いることで、タッチセンサ１００を保護する保護層の役割を同時に果たすことができる。
【００４３】
本発明のタッチセンサ１００は、ベース基板１１０と、ベース基板１１０の両面にそれぞれ形成された第１電極パターン１２０と、第２電極パターン１３０と、を含む。
【００４４】
ベース基板１１０は、電極パターン１２０、１３０および電極配線（図示せず）が形成される領域を提供する役割を果たす。ここで、ベース基板１１０は、アクティブ領域３５０とベゼル領域３３０とに区画され、アクティブ領域３５０は、入力手段のタッチを認識するために電極パターン１２０、１３０が形成される部分であり、ベース基板１１０の中心に設けられ、ベゼル領域３３０は、電極パターン１２０、１３０から延長する電極配線（図示せず）が形成される部分であり、アクティブ領域３５０の縁部に設けられる。
【００４５】
この際、ベース基板１１０は、電極パターン１２０、１３０と電極配線（図示せず）を支持するための支持力、および画像表示装置（図示せず）から提供する画像をユーザに認識させるための透明性を備えなければならない。上述の支持力および透明性を鑑みると、ベース基板１１０の材質は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどからなることが好ましいが、必ずしもこれに限定されない。
【００４６】
電極パターン１２０、１３０は、入力手段がタッチする際に信号を発生させてコントローラでタッチ座標を認識できるようにする役割を果たすものであり、ベース基板１１０に形成される。本発明の実施例では、ベース基板１１０のＸ軸方向に形成される電極パターンを第１電極パターン１２０と称し、ベース基板１１０のＹ軸方向に形成される電極パターンを第２電極パターン１３０と称する。
【００４７】
本発明は、タッチセンサモジュール１のベゼル層３１０の厚さを減少し、且つベース基板１１０とウィンドウ基板３００との接合力を向上させるものである。これにより、作動信頼性を維持することができ、ユーザの便宜性および趣向を反映したタッチセンサモジュール１を適用した製品において、より多様化することができる。
【００４８】
タッチセンサモジュール１は、図１及び図２を参照すると、ウィンドウ基板３００と対向する方向に縁部に沿って少なくとも一つ以上の印刷層３１１、３１３を備えるベゼル層３１０と、印刷層３１１、３１３の表面を塗布して包むように形成された塗布層３１５と、を含む。
【００４９】
ベゼル層３１０は、ベース基板１１０のベゼル領域３３０に対応する領域に配置される配線電極（図示せず）の一面を隠す役割を果たす。また、ベゼル層３１０には、必要に応じて、製造社のロゴのような装飾パターンが形成されてもよい。ベゼル層３１０には、ウィンドウ基板３００の縁部に沿って少なくとも一つ以上の層が積層されてなる印刷層３１１、３１３が形成される。印刷層３１１、３１３は、ウィンドウ基板３００一面のベゼル領域３３０に形成される。印刷層３１１、３１３は、明るい色の場合には遮蔽力を確保するために多数の層を繰り返して複数層に形成する。これは、遮蔽力を確保するためである。
【００５０】
通常、明度を「Ｂ＝０〜１００」の範囲で表現すると、明度値（Ｂｒｉｇｈｔｎｅｓｓ  Ｖａｌｕｅ）が「Ｂ＝０」に向かうと「暗い」と表現し、明度値（Ｂ）が「Ｂ＝１００」に向かうと「明るい」と表現する。そのため、明度値が「Ｂ＝１００」の場合には遮蔽力を確保するために繰り返して積層する反面、明度値が「Ｂ＝０」の場合には薄い層でも遮蔽力を確保することができる。
【００５１】
本発明の実施例において、印刷層３１１、３１３は、明度値（Ｂ）が５０以上のものを用いることが好適である。これは、第１印刷層３１１と第２印刷層３１３を順次積層することで、本発明の特徴である明るい色を用いて厚さを減少し、且つ遮蔽力を確保するためである。
【００５２】
ベゼル層３１０は、ウィンドウ基板３００に接して積層方向に塗布される第１印刷層３１１と、第１印刷層３１１の上端部に少なくとも一つ以上の層として積層されて塗布される第２印刷層３１３と、を含む。
【００５３】
第１印刷層３１１は、外部からウィンドウ基板３００の内部が見えないように形成される。第１印刷層３１１は、明るい色を有するように、５０以上の明度値（Ｂ）を有することが好適である。
【００５４】
第２印刷層３１３は、第１印刷層３１１の表面に積層されて形成される。第２印刷層３１３は、第１印刷層３１１の幅より小さい幅を有するように形成される。この際、第２印刷層３１３は、所定の傾斜を有するように、第１印刷層３１１の上部に多数個が積層されて形成される。
【００５５】
第２印刷層３１３は、第１印刷層３１１に上端部に多数の層が積層されることで遮蔽性が向上する。すなわち、第１印刷層３１１と第２印刷層３１３は、階段状に積層され、少なくとも一つ以上の層が薄く形成されて遮蔽性を有する。第２印刷層３１３は、第１印刷層３１１の材質と同じ材質を用いることが好適である。
【００５６】
図２を参照すると、塗布層３１５は、ベース基板１１０のベゼル領域３３０から外れることなく、印刷層３１１、３１３を包むように形成される。塗布層３１５は、第１印刷層３１１と同じ材質を用いることが好適である。すなわち、塗布層３１５は、第１印刷層３１１と同じ明度値（Ｂ）を有する。塗布層３１５は、第１印刷層３１１と第２印刷層３１３の表面を覆いながら形成される。この際、第１印刷層３１１の表面に第２印刷層３１３を積層する際に生じる気泡（Ａｉｒ  Ｔｒａｐ）を除去する。
【００５７】
塗布層３１５は、ベース基板１１０のアクティブ領域３５０に向かって高さが徐々に減少して傾斜を有するように形成される。すなわち、塗布層３１５は、第１印刷層３１１と第２印刷層３１３を塗布しながら緩やかな傾斜を有するように形成される。これは、第１印刷層３１１と第２印刷層３１３が階段方式で積層される際に、それぞれの層ごとに段差が生じて接合力が低下することを防止するためである。
【００５８】
塗布層３１５において、ベース基板１１０の一面とベゼル層３１０の傾斜面との間の角度ａが９０゜度以下に形成される（図２を参照）。ベース基板１１０の一面と塗布層３１５の傾斜面との間の角度ａは１０〜８０゜に形成されることができる。これは、塗布層３１５がタッチセンサに接合する際に接着層２００が緩やかに結合するためである。
【００５９】
この際、塗布層３１５は、印刷層３１１、３１３を包み、且つテーパー角を維持するために粘着性を有する材質を用いる。塗布層３１５には、シラン（ｓｉｌａｎｅ）、着色剤およびバインダー樹脂を含むベゼル組成物を用いることができる。なお、ベゼル組成物は、光重合成化合物、光重合開始剤、溶剤、添加剤をさらに含んでもよい。シランは、ＲＳｉ（ＯＣＮＨ２ＮＨ）３からなってもよく、例えば、ビニルトリエトキシシラン（Ｖｉｎｙｌｔｒｉｅｔｈｏｘｙｓｉｌａｎｅ）からなってもよい。着色剤は、顔料および顔料噴射剤を含む着色剤組成物からなってもよい。
【００６０】
塗布層３１５の表面上端部には、第１印刷層３１１の明度値と同一であるか、第１印刷層３１１の明度値より小さい材質を用いて表示層３１７を形成してもよい。表示層３１７の一面には、電気的信号が外部に連結される配線が形成されてもよい。
【００６１】
印刷層を包んでいる塗布層の第１変形例によるタッチセンサモジュールにおいて、図３のように、第２印刷層３１３は、第１印刷層３１１における段階方式ではなく、多様な形態に積層されて形成されてもよい。第２印刷層３１３と第１印刷層３１１は、互いに異なる材質および異なる明度を有してもよい。これは、第２印刷層３１３と第１印刷層３１１の材質を限定するためではない。
【００６２】
図４は、ウィンドウ基板３００を準備する段階を示す図である。
【００６３】
ウィンドウ基板３００は、タッチセンサモジュール１の視認性のために透明な材質を用いることが好適である。ウィンドウ基板３００、ベース基板１１０および電極パターン１２０、１３０については、前記本発明の一実施例によるタッチセンサモジュール１において説明したため、重複する説明は省略する。
【００６４】
図５は、ウィンドウ基板３００の縁部に沿って第１印刷層３１１と第２印刷層３１３を形成する段階を示す図である。
【００６５】
ここで、第１印刷層３１１と第２印刷層３１３は、乾式工程、湿式工程またはダイレクト（ｄｉｒｅｃｔ）パターニング工程により形成してもよい。ここで、乾式工程は、スパッタリング（Ｓｐｕｔｔｅｒｉｎｇ）、蒸着（Ｅｖａｐｏｒａｔｉｏｎ）などを含み、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを含み、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを含んでもよい。第１印刷層３１１と第２印刷層３１３は、階段方式で積層されて形成される。
【００６６】
図６は、印刷層３１１、３１３の表面に塗布層３１５を形成する段階を示す図である。
【００６７】
上述した第１印刷層３１１と第２印刷層３１３が階段方式により複数層で形成されると、塗布層３１５は、印刷層３１１、３１３を包むように塗布する。この際、塗布層３１５には、アクティブ領域３５０に向かって高さが徐々に減少する緩やかなカーブの傾斜が形成される。これにより、ウィンドウ基板３００とタッチセンサ１００とが結合する際に接着力を向上する効果がある。
【００６８】
塗布層３１５の上端部には、外部から内部が見えないようにする表示層３１７を形成してもよい。これは、表示層３１７の一面に電極パターン１２０、１３０の電気的信号を移送する配線が形成されて、通路の役割として用いてもよい。表示層３１７は、第１印刷層３１１の明度値より低い明度値を有する材質を用いることが好適である。これは、外部から内部が見えないように遮蔽するためである。また、第１印刷層３１１と塗布層３１５は、明度値が５０以上の材質を用いて、複数回繰り返して積層することで遮蔽力を有する。
【００６９】
ベース基板１１０の両面に第１電極パターン１２０および第２電極パターン１３０を形成する。
【００７０】
図７は、ウィンドウ基板３００とベース基板１１０とを結合する段階を示す図である。
【００７１】
接着層２００を用いてベース基板１１０の縁部とウィンドウ基板３００を接着させて、第１電極パターン１２０がウィンドウ基板３００に対向するように配置する。ここで、接着層２００は、特に制限されず、光学透明接着剤（Ｏｐｔｉｃａｌ  Ｃｌｅａｒ  Ａｄｈｅｓｉｖｅ；ＯＣＡ）または両面接着テープ（Ｄｏｕｂｌｅ  Ａｄｈｅｓｉｖｅ  Ｔａｐｅ；ＤＡＴ）を用いてもよい。
【００７２】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７３】
本発明の単純な変形乃至変更はいずれも本発明の領域に属するものであり、本発明の具体的な保護範囲は添付の特許請求の範囲により明確になるであろう。
【産業上の利用可能性】
【００７４】
本発明は、タッチセンサモジュールおよびその製造方法に適用可能である。
【符号の説明】
【００７５】
１  タッチセンサモジュール
１００  タッチセンサ
１１０  ベース基板
１２０  第１電極パターン（電極パターン）
１３０  第２電極パターン（電極パターン）
２００  接着層
３００  ウィンドウ基板
３１０  ベゼル層
３１１  第１印刷層（印刷層）
３１３  第２印刷層（印刷層）
３１５  塗布層
３１７  表示層
３３０  ベゼル領域
３５０  アクティブ領域
【図１】
2015036972.tif 000003
【図２】
2015036972.tif 000004
【図３】
2015036972.tif 000005
【図４】
2015036972.tif 000006
【図５】
2015036972.tif 000007
【図６】
2015036972.tif 000008
【図７】
2015036972.tif 000009